(57)【要約】【課題】遮断器本体のケースカバーに電圧引外し装置（内部付属装置）を装着する際に、該引外し装置のトリップレバーの姿勢を規制して遮断器本体のトリップクロスバーに正しく連繋させるように組み付け構造を改良してセッティングのミスを防止する。【解決手段】遮断器本体のケースカバー３に形成したポケット状凹部３ａに電圧引外し装置（内部付属装置）を装填し、この位置で電圧引外し装置のトリップレバー１１ｂを遮断器本体のトリップクロスバーに連繋させた回路遮断器において、前記トリップレバー１１ｂに側方へ膨出した突起１１ｈを設けるとともに、該突起付きトリップレバーの形状に対応してケースカバー３には、電圧引外し装置を凹部３ａの中へ装填する際に前記突起付きトリップレバーの挿入姿勢を定姿勢に規制する鍵形のレバー挿通穴１１を凹部３ａに連ねて形成する【選択図】        図１
2005347201.tif 000002
【特許請求の範囲】
【請求項１】
本体ケースに付属装置としての電圧引外し装置を搭載した回路遮断器であり、本体ケースのカバーに形成したポケット状凹部に前記電圧引外し装置を挿入セットし、このセット位置で電圧引外し装置のトリップレバーを遮断器本体に装備したトリップクロスバーの作動片に連繋させたものにおいて、
前記電圧引外し装置のトリップレバーに側方へ膨出した突起を設けるとともに、該突起付きトリップレバーの形状に対応して本体ケースのカバーには、電圧引外し装置を装填する際に前記の突起付きトリップレバーの挿入姿勢を規制する異形のレバー挿通穴を形成したことを特徴とする回路遮断器。
【請求項２】
請求項１記載の回路遮断器において、ケースカバーに形成したレバー挿通穴が、突起付きトリップレバーの形状に対応して該レバーの挿入姿勢が正常である場合にのみ通過を許容する鍵形のスリット溝穴であることを特徴とする回路遮断器。
【発明の詳細な説明】
【技術分野】
【０００１】
本発明は、配線用遮断器，漏電遮断器などを対象とした回路遮断器に関し、詳しくは内部付属装置として回路遮断器の本体ケースに搭載する電圧引外し装置の組み付け構造に係わる。
【背景技術】
【０００２】
頭記の回路遮断器には、付属装置として各種のオプションが用意されており、その一つに電圧引外し装置がある（例えば、特許文献１参照）。
次に、上記の電圧引外し装置を搭載した回路遮断器，並びに電圧引外し装置の構成，動作を説明する。先ず、漏電遮断器を例に回路遮断器の全体構成を図３に示す。図において、１は下部ケース２，カバー３，およびカバー３の上面側に配した補助カバー４からなる本体ケース（樹脂モールドケース）で、該ケース１に消弧室（電流遮断部）５，開閉機構６，開閉操作ハンドル７，過電流引外し装置８，漏電検出用の零相変流器９，トリップコイル１０などを組み付けて回路遮断器を構成している。
ここで、前記カバー３にはハンドル７を挟んで左右両側にポケット状の凹部（付属装置の格納室）を形成してその上面側に補助カバー４を備え、この凹部の中に先記の付属装置として電圧引外し装置を搭載するようにしており、その状態を図４，図５に、また電圧引外し装置の構造を図６に示す。
【０００３】
図４，図５において、１１が電圧引外し装置であり、該電圧引外し装置１１は本体ケース１の補助カバー４（図３参照）を開いた上で、カバー３に形成したポケット状の凹部３ａに上方から差し込んで装填するようにしている。なお、カバー３の上面には、電圧引外し装置１１を装着する際に、該装置のトリップレバー（トリップレバーについては後記する）の先端をケース内に引き入れるために、前記凹部３ａに連なるスリット状の溝穴３ｂが形成されている。
ここで、電圧引外し装置１１の構造については特許文献１にも詳記されており、図６において、１１ａは電磁ソレノイド、１１ｂは電磁ソレノイド１１の可動子１１ａ−１に連結してその前方に突き出したトリップレバー、１１ｃはソレノイドコイル焼損防止用スイッチのレバー、１１ｄは掛止保持用のベース、１１ｅはトリップレバー１１ｂの支軸、１１ｆはトリップレバーの復帰バネ、１１ｇはスイッチカバーであり、図４で示すようにカバー３の凹部３ａに装填して回路遮断器に装着した状態では、トリップレバー１１ｂがカバー３に形成した前記のスリット状溝穴３ｂを通してケース内に入り込み、この位置でレバー先端が遮断器本体に装備したトリップクロスバー１２の作動片１２ａに対峙（図示の右側端面）する。また、焼損防止用スイッチレバー１１ｃは開閉機構６（図３参照）における可動接触子ホルダ６のカム部と対峙する。
【０００４】
上記の構成で、電圧引外し装置１１に外部からトリップ指令を与えて電磁ソレノイド１１を吸引動作させると、図７で表すように可動子１１ａ−１がトリップレバー１１ｂを時計方向に引き寄せて該レバーがトリップクロスバー１２の作動片１２ａを叩き、これを反時計方向に押す。これにより、いままでトリップクロスバー１２の作動片１２ａに掛止していたラッチ受け（図示せず）の鎖錠が釈放され、これに応動して回路遮断器がトリップ動作することは周知の通りである。
【特許文献１】特許第２９５３１１４号公報
【発明の開示】
【発明が解決しようとする課題】
【０００５】
ところで、前記した従来構造では、ユーザーサイドにて回路遮断器に電圧引外し装置１１を装着する際に次記のようなミスを引き起こすおそれがある。
すなわち、図６で述べたように電圧引外し装置１１のトリップレバー１１ｂは、支軸１１ｅ，復帰バネ１１ｆを介して揺動可能に軸支されており、電磁ソレノイド１１ａの非励磁状態ではトリップレバー１１ｂを指先で自由に押し込むことが可能である。一方、トリップレバー１１ｂに対応して遮断器本体のケースカバー上面に形成した溝穴３ｂ（図５参照）は、トリップレバーのサイズに相応した長さの単純なスリット状溝穴である。また、遮断器本体のトリップクロスバー１２は図７の実線位置に保持されていて、その作動片１２ａは直立している。
このために、電圧引外し装置１１を手に持って遮断器本体のケースカバー３に装填する際に、不用意にトリップレバー１１ｂを電磁ソレノイド１１へ寄せるように押し込んで挿入セットすると、前記ケースカバー３の溝穴３ｂをすり抜けたトリップクロスバー１１ｂの先端が、図８で示すようにトリップクロスバー１２の作動片１２ａに対して、作動片の内側（図示の左側）に位置した状態にセッティングされてしまうことがある。なお、電圧引外し装置１１を装填した後の状態では、トリップレバー１１ｃの先端がトリップクロスバー１２の作動片１２ａに対して図４のように背面側に正しく対峙しているか、あるいは図８のように手前側に位置しているかはよく注意しないと簡単に目視確認できない。
【０００６】
しかも、図８のセット状態では、電圧引外し装置１１にトリップ指令を与えてトリップレバー１１ｂを駆動しても、トリップレバー１１ｂは図８の位置から時計方向に回動するだけでトリップクロスバー１２を叩くことができず、このために回路遮断器はトリップ動作しない。
そこで、本発明は、回路遮断器に電圧引外し装置を装着する際のセッティングミスを回避できるようにその組み付け構造を改良して信頼性の向上を図った回路遮断器を提供することを目的とする。
【課題を解決するための手段】
【０００７】
上記目的を達成するために、本発明によれば、本体ケースに外部付属装置としての電圧引外し装置を搭載した回路遮断器で、その本体ケースのカバーに形成したポケット状凹部に前記電圧引外し装置を装填し、このセット位置で電圧引外し装置のトリップレバーを遮断器本体に装備したトリップクロスバーの作動片に連繋させたものにおいて、
前記電圧引外し装置のトリップレバーに側方へ膨出した突起を設けるとともに、該突起付きトリップレバーの形状に対応して本体ケースのカバーには、電圧引外し装置を装着する際に前記の突起付きトリップレバーの挿入姿勢を定姿勢に規制する異形のレバー挿通穴を前記凹部に連ねて形成する（請求項１）ものとし、具体的には前記のレバー挿通穴を、突起付きトリップレバーの形状に対応して該レバーの挿入姿勢が正常である場合にのみ突起の通過を許容する鍵形のスリット溝穴とする（請求項２）。
【発明の効果】
【０００８】
上記の構成によれば、回路遮断器に電圧引外し装置を装着する際に、そのトリップレバーが定常位置に復帰した姿勢に保持されていれば、該レバーの突起がケースカバーに阻害されることなく該カバー形成した鍵形のレバー挿通穴をすり抜けてトリップクロスバーの作動片と正しく対峙する位置にセッティングできる。これに対して、電圧引外し装置の装填時にトリップレバーを復帰位置から押し込んだ状態でセッティングしようとすると、トリップレバーの突起が遮断器本体のケースカバーの上面に突き当たって前記した異形のレバー挿通穴を通過することができず、これによりトリップレバーの誤ったセッティングを未然に防ぐことができて信頼性が向上する。
【発明を実施するための最良の形態】
【０００９】
以下、本発明の実施の形態を図１，図２に示す実施例に基づいて説明する。なお、実施例の図中で図４〜図６に対応する部材には同じ符号を付してその詳細な説明は省略する。
すなわち、図示実施例においては、図１（ａ），（ｂ）で示すように付属装置として回路遮断器に搭載する電圧引外し装置１１のトリップレバー１１ｂに対して、そのレバー先端側の側面に突起１１ｈを形成しておく。また、この突起１１ｈ付きトリップレバー１１ｂの形状に対応して、遮断器本体のケースカバー３には、図５に示した従来の単純なスリット状溝穴３ｂに代えて、鍵形形状（突起１１ｈに対応した部分で溝幅がＬ字状に拡大している）になる異形のレバー挿通穴３ｃを凹部３ａに連ねて形成し、このレバー挿通穴３ｃにより電圧引外し装置１１を装着する際に、トリップレバー１１ｂの挿入姿勢を定姿勢に規制するようにして図８で述べたセッティングミスを未然に防ぐようにしている。
【００１０】
次に、図１の構造による電圧引外し装置１１の組み付け機能を図２（ａ），（ｂ）で説明する。図２（ａ）はトリップレバー１１ｂが所定の復帰位置に戻っている状態で引外し装置１１をケースカバー３の凹部３ａに装填する途中の状態を、図２（ｂ）は装填後の状態を表しており、この場合にはトリップレバー１１ｂの側面に設けた突起１１ｈがカバー３に形成したレバー挿通穴３ｃの鍵形部分をすり抜け、遮断器本体に設けたトリップクロスバー１２に対して作動片１２ａの背後（図示の右側）に正しく対峙するようになる。なお、このセッティング位置は図４と同じ関係であり、この状態で電圧引外し装置１１にトリップ指令を与えると、トリップレバー１１ｂが背後からトリップクロスバー１２の作動片１２ａを叩くので、これにより回路遮断器がトリップ動作する。
これに対して、電圧引外し装置１１を装着する際に、図８で述べたようにトリップレバー１１ｂを正規の復帰位置から押し込んだ姿勢でケースカバー３の凹部３ａに装填しようとしても、トリップレバー１１ｂの突起１１ｈがレバー挿通穴３ｃの鍵形部から外れた図１（ｂ）の壁部１ｄに突き当たってレバー挿通穴を通過できない。これにより、トリップレバー１１ｂの先端が図８に示した位置に誤ってセッティングされるミスを未然に防ぐことができる。
【００１１】
なお、図示実施例では、トリップレバー１１ｂに突起１１ｈをレバー片面にのみ設けているが、突起をレバーの両側面に設け、これに対応したケースカバー３に形成したレバー挿通穴をＴ字状の異形溝穴として実施してもよい。
【図面の簡単な説明】
【００１２】
【図１】本発明の実施例による電圧引外し装置の組み付け構造図で、（ａ）は遮断器本体ケースカバーの凹部に電圧引外し装置を装填する状態を表した図、（ｂ）は（ａ）における電圧引外し装置およびそのトリップレバーとケースカバーに形成した凹部および異形挿通穴との位置関係を表す図
【図２】図１の組み付け構造による機能説明図で、（ａ），（ｂ）はそれぞれ電圧引外し装置をケースカバーに装填する途中，および装填後の状態を表す側視断面図
【図３】本発明の実施対象となる回路遮断器の全体構成図
【図４】図３のケースカバーに電圧引外し装置を装填した正規のセッティング状態を表した従来構造の側視断面図
【図５】図５を上方から見たカバー全体の外観斜視図
【図６】電圧引外し装置の詳細構造を表す外観図
【図７】電圧引外し装置による回路遮断器のトリップ動作説明図
【図８】従来の組み付け構造で電圧引外し装置のトリップレバーを誤った位置にセッティングした状態を表すケースカバーの側視断面図
【符号の説明】
【００１３】
３    本体ケースのカバー
３ａ  凹部
３ｃ  異形のレバー挿通穴
１１    電圧引外し装置
１１ｂ  トリップレバー
１１ｈ  突起
１２    トリップクロスバー
１２ａ  作動片
【図１】
2005347201.tif 000003
【図２】
2005347201.tif 000004
【図３】
2005347201.tif 000005
【図４】
2005347201.tif 000006
【図５】
2005347201.tif 000007
【図６】
2005347201.tif 000008
【図７】
2005347201.tif 000009
【図８】
2005347201.tif 000010